(57)【要約】    【課題】  ステレオタイプのポータブル式テープレコーダにおける、左右の録音レベルの調整の操作性と安定性の向上を図り、とくにこの機器を一方の手で持ちながら片方の手で左右の録音レベルを別々に調整することが可能な調整装置を提供する。    【解決手段】  ２連式ボリューム３４の外軸３７上にインナーリング４１を介して左側の音量調整つまみ１５とクラッチ板４２とを取付け、これに対して２連式ボリューム３４の中軸３８上にインナーリング４５を介して右側の音量調整つまみ１６を取付け、しかもこの音量調整つまみ１６をインナーリング４５の段部４９上に介装された圧縮コイルばね５０によってクラッチ板４２側に押圧し、これによって右側の音量調整つまみ１６の端面に形成された歯５１をクラッチ板４２に係合させる。    【選択図】    図７
2007019321.tif 000002
【特許請求の範囲】
【請求項１】
一対の調整つまみを有し、これら一対の調整つまみによってそれぞれ対応する調整を行なうようにした調整装置において、
前記一対の調整つまみの端面が係合手段を介して互いに対向して同軸状に配され、しかも少くとも一方の調整つまみが付勢手段によって軸線方向に付勢され、
前記一対の調整つまみは前記付勢手段の付勢力によって前記係合手段を介して互いに係合され、
前記一方の調整つまみを前記付勢手段に抗して軸線方向に移動させると前記係合手段による係合が解除されることを特徴とする調整装置。
【請求項２】
前記付勢手段がコイルばねであって、前記一方の調整つまみとその取付け軸との間に介装されることを特徴とする請求項１に記載の調整装置。
【請求項３】
前記係合手段が摩擦係合板であって、前記一方の調整つまみが前記付勢手段によって前記摩擦係合板を他方の調整つまみの端面に圧着させることを特徴とする請求項２に記載の調整装置。
【請求項４】
前記摩擦係合板がシリコンゴム製の円板であることを特徴とする請求項３に記載の調整装置。
【請求項５】
前記一対の調整つまみの互いに対向する端面の内の少くとも一方に凹凸が形成され、該凹凸が前記摩擦係合板と係合されることを特徴とする請求項３に記載の調整装置。
【請求項６】
前記調整つまみの端面の凹凸が該端面上において円周方向に配列された歯であることを特徴とする請求項５に記載の調整装置。
【請求項７】
前記一対の調整つまみが２連式の電気的量の調整手段の互いに嵌合する中軸と外軸とにそれぞれ取付けられることを特徴とする請求項１に記載の調整装置。
【請求項８】
前記２連式の電気的量の調整手段が２連式のボリュームであることを特徴とする請求項７に記載の調整装置。
【請求項９】
前記２連式のボリュームがポータブル式音響機器の左右のチャンネルの音量の調整手段を構成することを特徴とする請求項８に記載の調整装置。
【発明の詳細な説明】
【技術分野】
【０００１】
本発明は調整装置に係り、とくに一対の調整つまみを有し、これら一対の調整つまみによってそれぞれ対応する調整を行なうようにした調整装置に関する。
【背景技術】
【０００２】
例えばポータブル型のテープレコーダでステレオ録音を行なうために、左右のチャンネルの録音レベルを調整する必要がある。このような場合に、例えば図１０および図１１に示すような２連式ボリュームが用いられる。２連式ボリューム１は、筐体内に一対のボリューム２、３を備え、一方のボリューム２の回転子が外軸４に連結され、他方のボリューム３の回転子が中軸５に連結される。そして筐体２の外側において、上記外軸４上には左側の音量調整つまみ６が取付けられ、中軸５には右側の音量調整つまみ７が取付けられる。そして一対の音量調整つまみ６、７間にパッキン８が配されるとともに、このパッキン８が高粘度グリス９を介して、例えば左側の音量調整つまみ６のボスの外周面に摺接する。
【０００３】
このような構成の２連式ボリュームによると、左右の音量調整つまみ６、７はパッキン８および高粘度グリス９を介して互いに連動されるようになっているために、音量調整つまみ６、７の内の一方のつまみを回したときに他方が追随するように移動する。従って２連式ボリュームにおいて、左右の音量を独立に調整する必要がある場合には、左側または右側のつまみ６、７を押さえながら、もう一方の手で他方のつまみ７、６を回転調整し、これによって左右の録音レベルを独立に調整する必要がある。
【０００４】
上記のような構成によると、左右の音量を独立に調整する場合には、両方の手の操作を必要とする。従ってこのポータブル型のテープレコーダを床や机等の上に固定して操作を行なうことが必要になり、操作の態様に制限を生ずる欠点がある。また左右の調整つまみ６、７間のパッキン８を反対側の調整つまみ６に摩擦係合させるために高粘度グリス９を用いているが、このような構成によると、使用状態下の温度やグリスの劣化によって、音量調整つまみ６、７の動作力に変化を生ずる欠点がある。
【０００５】
特開平９−１２９４１９号公報には、電子機器の音量等を調整するノブにおいて、可変抵抗器の第１軸、第２軸にそれぞれ取付けられる第１のノブと第２のノブに各々略円筒状に第１のリブと第２のリブを設け、第１のリブと第２のリブに対向して溝と突起を設け、第１又は第２のノブを回転したとき溝と突起が係合し連動すると共に回転位置がずれたとき突起と第１又は第２のいずれかのリブとが弾性係合し連動するようにした連動ノブが開示されている。
【０００６】
このような構成に係る連動ノブにおいても、第１および第２の電子回路が何らかの接続条件によってレベルバランスを変える必要が生じたとき、第１のノブのリブに設けた突起部が第２のリブに設けた溝からずれた位置へ、第２のノブを片方の手で固定した状態で他方の手で第１のノブを回転させる必要がある。従って両手を必要とし、調整時にこの電子機器を床や机等の上に固定して操作を行なわなければならないという制限は解消されない。
【特許文献１】特開平９−１２９４１９号公報
【特許文献２】実開昭６３−４８２１７号公報
【発明の開示】
【発明が解決しようとする課題】
【０００７】
本願発明の課題は、操作性と安定性とを向上させた調整装置を提供することである。
【０００８】
本願発明の別の課題は、一対の調整つまみによる別々の調整を、片手で行なうことを可能にした調整装置を提供することである。
【０００９】
本願発明のさらに別の課題は、調整位置が離散することなく連続的に調整可能な調整装置を提供することである。
【００１０】
本願発明のさらに別の課題は、調整つまみ間の係合手段の接続および遮断、あるいはその中間状態に任意に設置することが可能な調整装置を提供することである。
【００１１】
本願発明のさらに別の課題は、ポータブル型の音響機器において、左右の録音レベルを任意に調整することが可能な調整装置を提供することである。
【００１２】
本願発明のさらに別の課題は、携帯機器の左右のチャンネルの音声の録音レベルを、片手の操作のみによって任意に調整することが可能な調整装置を提供することである。
【００１３】
本願発明の上記の課題および別の課題は、以下に述べる本願発明の技術的思想、およびその実施の形態によって明らかにされよう。
【課題を解決するための手段】
【００１４】
本願の主要な発明は、一対の調整つまみを有し、これら一対の調整つまみによってそれぞれ対応する調整を行なうようにした調整装置において、
前記一対の調整つまみの端面が係合手段を介して互いに対向して同軸状に配され、しかも少くとも一方の調整つまみが付勢手段によって軸線方向に付勢され、
前記一対の調整つまみは前記付勢手段の付勢力によって前記係合手段を介して互いに係合され、
前記一方の調整つまみを前記付勢手段に抗して軸線方向に移動させると前記係合手段による係合が解除されることを特徴とする調整装置に関するものである。
【００１５】
ここで、前記付勢手段がコイルばねであって、前記一方の調整つまみとその取付け軸との間に介装されてよい。また前記係合手段が摩擦係合板であって、前記一方の調整つまみが前記付勢手段によって前記摩擦係合板を他方の調整つまみの端面に圧着させてよい。また前記摩擦係合板がシリコンゴム製の円板であってよい。また前記一対の調整つまみの互いに対向する端面の内の少くとも一方に凹凸が形成され、該凹凸が前記摩擦係合板と係合されてよい。また前記調整つまみの端面の凹凸が該端面上において円周方向に配列された歯であってよい。また前記一対の調整つまみが２連式の電気的量の調整手段の互いに嵌合する中軸と外軸とにそれぞれ取付けられてよい。また前記２連式の電気的量の調整手段が２連式のボリュームであってよい。また前記２連式のボリュームがポータブル式音響機器の左右のチャンネルの音量の調整手段を構成してよい。
【発明の効果】
【００１６】
本願の主要な発明は、一対の調整つまみを有し、これら一対の調整つまみによってそれぞれ対応する調整を行なうようにした調整装置において、一対の調整つまみの端面が係合手段を介して互いに対向して同軸状に配され、しかも少くとも一方の調整つまみが付勢手段によって軸線方向に付勢され、一対の調整つまみは付勢手段の付勢力によって係合手段を介して互いに係合され、一方の調整つまみを付勢手段に抗して軸線方向に移動させると係合手段による係合が解除されるようにしたものである。
【００１７】
従ってこのような調整装置によると、一方の調整つまみを軸線方向に移動させない状態においては、一対の調整つまみが係合手段を介して互いに係合されているために、一対の調整つまみの内の一方を回転操作することによって、他方の調整つまみがその回転動作に追随することになる。これに対して一方の調整つまみを付勢手段に抗して軸線方向に移動させると、上記係合手段による係合が解除され、このために軸線方向に移動させたままの状態で一方の調整つまみを回転操作することによって、この一方の調整つまみと対応する調整を他方の調整つまみとは独立に行なうことが可能になる。
【発明を実施するための最良の形態】
【００１８】
以下本願発明を図示の実施の形態によって説明する。図１Ａ、Ｂは、本実施の形態のポータブル式テープレコーダの全体を示すものであって、このテープレコーダは細長い直方体状をなす筐体１０を備えている。筐体１０の前面であってそのほぼ中央部には液晶表示装置から成る表示パネル１１が設けられており、これによってモード表示等の各種の表示を行なうようにしている。上記表示パネル１１の下側であって筐体１０の前面側には、複数の操作ボタン１２が配列されている。また表示パネル１１の上部には、左右の録音レベルをそれぞれ表示するための音量レベル表示用メータ１３、１４が配されている。また上記音量レベル表示用メータ１３に対応するように、筐体１０の側部であって表示パネル１１の右側の位置には、音量調整つまみ１５、１６が互いに近接して同軸状に配されている。また表示パネル１１に対して左側の側部には、ヘッドホンの音量を調整するための音量調整つまみ１７が設けられている。
【００１９】
筐体１０の上端側の部分には、左右一対のマイクロホン２１、２２が取付けられている。これらのマイクロホン２１、２２はその軸線の先端側の部分が互いに交差するように傾斜されており、回動式支持枠２３上に取付けられている。そして回動式支持枠２３が、両側の左右一対のアーム２４によって回動自在に支持されている。図１Ａは前方側に回動させた状態を、図１Ｂは背面側に回動させた状態をそれぞれ示している。またこれらのマイクロホン２１、２２を保護するように、一対の円弧状をなすガード２５を前面側と背面側とにそれぞれ取付けるようにしている。なおこれらのガード２５は上記回動式支持枠２３の両側部に固着されている。また上記音量調整つまみ１５、１６の取付け位置の背面側には、蓋２７によって通常は閉じられているスロット２８が設けられている。このスロット２８は、半導体メモリから成る記憶媒体を装着するスロットである。また筐体１０の背面側であってその下端側の部分には、電池蓋３０が設けられており、この電池蓋３０の内側が電池装着部になっていてる。
【００２０】
従って左右の音量調整つまみ１５、１６によって録音レベルを調整するとともに、この録音レベルを音量レベル表示用メータ１３、１４によって確認しながら、マイクロホン２１、２２によって左右の音声を取込んで録音することが可能になる。なおこのときの録音モードへの切換えは、表示パネル１１の下側の操作ボタン１２の操作によって行なわれる。またこのときの録音モードの表示が、表示パネル１１によって表示される。
【００２１】
次に上記左右の音量調整つまみ１５、１６による録音時の音量調整のための構造について説明する。図２に示すように、ここでは２連式のボリューム３４が設けられる。２連式ボリューム３４はとくに図４に示すように、その内部に一対のカーボン可変抵抗器を用いたボリューム３５、３６が設けられ、これらのボリューム３５、３６の回転子が中空軸から成る外軸３７と中軸３８とに固着されている。外軸３７と中軸３８とは図２Ｂに示すようにこの２連式ボリューム３４の筐体から前面側に突出されるようになっている。そして外軸３７上にはインナーリング４１が固着されるとともに、インナーリング４１に左側の音量調整つまみ１５が固着される。そして上記左側の音量調整つまみ１５の前面側にシリコンゴムから成る円形のクラッチ板４２が装着される。
【００２２】
これに対して外軸３７の中心孔を貫通して前方に突出する中軸３８上にはインナーリング４５を介して右側の音量調整つまみ１６が取付けられる。インナーリング４５はビス４６を中軸３８の雌ねじ孔４７に螺着することによって固定される。そして上記インナーリング４５は右側の音量調整つまみ１６の凹部４８内に受入れられる。インナーリング４５はその外周面上に段部４９を備え、この段部４９上に圧縮コイルばね５０が介装される。圧縮コイルばね５０は上記右側の音量調整つまみ１６を左側の音量調整つまみ１５およびクラッチ板４２の方向に弾性的に押圧する。なお上記左側の音量調整つまみ１５の端面であってクラッチ板４２と対向する面には２０度間隔で１８個の歯５１が円周方向に沿って配列される（図３〜図５参照）。また上記左側の音量調整つまみ１５はその中心部に円形孔５２が形成され、この円形孔５２が上記外軸３７上のインナーリング４１のボスを受入れている。
【００２３】
このように本実施の形態のステレオ録音可能なテープレコーダは、左右の音量調整を可能にするように、左右の音量調整つまみ１５、１６を備え、これらの音量調整つまみ１５、１６の操作性と安定性の向上を図るようにしている。すなわち左側の音量を調整するボリューム３５の外軸３７につまみ１５とインナーリング４１とを取付けるようにし、これに対して右側の音量調整を行なうボリューム３６の中軸３８にはインナーリング４５と右側の音量調整つまみ１６と、圧縮コイルばね５０とを取付けている。しかも左右の音量調整つまみ１５、１６間にシリコンゴムから成るクラッチ板４２を挿入し、これらをビス４６によって軸線方向に固定している。
【００２４】
次に以上のような構成に係る２連式ボリューム３４の動作について説明する。図６に示すように、右側の音量調整つまみ１６を軸線方向に引っ張ることなく、左右何れか一方の音量調整つまみ１５、１６を回転させると、他方の音量調整つまみ１６、１５がこれに追随する。この場合に、左側の音量調整つまみ１５に固定されたクラッチ板４２と右側の音量調整つまみ１６の側面に設けられた歯５１とが互いに噛合うようになり、これによって左右の音量調整つまみ１５、１６の一体的な回転操作を達成する。
【００２５】
これに対して図７に示すように、右側の音量調整つまみ１６を軸線方向右方に引っ張ると、この音量調整つまみ１６がインナーリング４５のボス上を右側に移動するとともに、音量調整つまみ１６の端面に形成されている歯５１がクラッチ板４２の端面から離れる。従ってこの状態で右側の音量調整つまみ１６を回転操作すると、中軸３８が回転されてボリューム３６の抵抗値が変化し、右側の音量調整を左側の音量を変えることなく行なうことが可能になる。すなわちこの場合には、左側の音量調整つまみ１５および外軸３７が回転することがなく、これによって左側のボリューム３５の抵抗値も変化しない。
【００２６】
次に左側の音量のみを調整する場合には、図６において右側の音量調整つまみ１６を指で押さえた状態で左側の音量調整つまみ１５を回転操作する。このときにクラッチ板４２と右側の音量調整つまみ１６の歯５１とが互いに噛合ったままクラッチ板４２が左側の音量調整つまみ１５に対して滑った状態で回転することになる。
【００２７】
上述のような左側の音量調整の動作は、左右の手の操作を必要とする。そこで一方の手のみによって左側の音量調整を行なう場合には、片手操作のみによって左右の音量調整つまみ１５、１６を一緒に回転させ、これによって左側の音量調整つまみ１５が所望の音量になる位置に合わせる。そしてこの後に図７に示すように、右側の音量調整つまみ１６を軸線方向右方に引っ張り、右側の音量調整つまみ１６のみを所定の回転位置に回転調整する。すなわち最初に左右の音量調整つまみ１５、１６を一緒に回転させて左側の音量調整つまみ１５によって左側の音量を調整した後に、右側の音量調整つまみ１６のみを回転操作することによって、左右の音量をそれぞれ適正な位置に設定できるようになる。
【００２８】
このような音量調整機構は、左側の音量調整つまみ１５に接着固定されたクラッチ板４２として、硬度が例えば６０度のシリコンゴムを採用している。シリコンゴムから成るクラッチ板４２を用いると、左右の音量調整つまみ１５、１６が噛合う際のポイントが離散的にならず、連続的になり、このために左右の音量を微調整することが可能になる。両側を歯車にした場合には、歯のピッチ毎の調整となるために、歯数と同じ離散状態での調整になり、微調整が制限されることになる。
【００２９】
また左右の音量調整つまみ１５、１６が互いに係合された状態で、一方の音量調整つまみ１５、１６を回転操作させても、歯５１がクラッチ板４２上を滑るだけであって、クラッチ板４２の破損が防止される。なおこのようなクラッチ板４２の破損防止のために、図３〜図５に示すような４角錐状であって、先端の部分をストレートにした歯が有効である。ここでは、４角錐状の歯５１を、法線方向にのみ０．１５ｍｍのストレート部を設け、これを内外２列に２０度のピッチで１８個ずつ、合計３６個設けることによって、クラッチ板４２上を右側の音量調整つまみ１６が滑ったり噛合ったりすることを可能にしている。ここで歯５１の噛合い量は０．５ｍｍとし、右側の音量調整つまみ１６の軸線方向の移動量を、例えば１ｍｍとすることによって、小さなスペース内での組立てを可能にしている。
【００３０】
このような構成によると、左右のチャンネルの録音レベルの調整の操作性と安定性とが向上する。また左右のチャンネルの音量調整をともに一方の手のみによって行なうことが可能であるから、携帯機器を持ちながら操作する場合に有効になる。またクラッチ板４２と歯５１との組合わせによって一対の音量調整つまみ１５、１６の係合機構を構成しているために、噛合いのポイントが無限大になり、微調整が可能になる。またクラッチ板４２と歯５１との係合状態と、中間の半係合状態の設定を任意に調整できるように成る。
【００３１】
次に変形例を図８および図９によって説明する。この変形例は、図３〜図５に示すような４角錐状の歯５１に代えて、３角形の歯５５を右側の音量調整つまみ１６の端面に形成したものである。ここで３角形の歯５５は、その鋭角の頂点がこの音量調整つまみ１５の中心部に向かうように、２０度間隔で１８個円周方向に等間隔で配列されている。このような構成は、図３〜図５に示すような構成の歯５１に比べて、その製作の工数が低減され、これによって調整用つまみ１６の低コスト化を図ることが可能になる。
【００３２】
以上本願発明を図示の実施の形態によって説明したが、本願発明は上記実施の形態によって限定されることなく、本願に含まれる発明の技術的思想の範囲内において各種の変更が可能である。例えば上記実施の形態は、歯５１とクラッチ板４２との係合を解除するために、音量調整つまみ１６をインナーリング４５上において右方に移動させるようにしているが、音量調整つまみ１６を逆方向に押して接続状態とすることも可能である。またクラッチ板４２の材料を変更することによって、半クラッチ状態をなくし、完全な接続と遮断状態とを作り出すことも可能である。
【産業上の利用可能性】
【００３３】
本願発明は、ポータブル式のステレオ型のテープレコーダにおける左右のチャンネルの録音レベルの調整に利用可能である。
【図面の簡単な説明】
【００３４】
【図１】ポータブル式テープレコーダの外観斜視図および側面図である。
【図２】同テープレコーダにおける左右の録音レベルを調整するための２連式ボリュームの斜視図および分解斜視図である。
【図３】同２連式ボリュームに組合わされる右側の音量調整つまみの斜視図である。
【図４】同音量調整つまみの正面図および側断面図である。
【図５】同音量調整つまみの歯の拡大正面図である。
【図６】同音量調整つまみによる調整動作を示す縦断面図である。
【図７】同音量調整つまみによる右側の音量調整の動作を示す縦断面図である。
【図８】変形例の歯を備える左側の音量調整つまみの正面図である。
【図９】同音量調整つまみの側面図および側断面図である。
【図１０】従来の２連式ボリュームの外観斜視図である。
【図１１】音量調整つまみを取付けた２連式ボリュームの縦断面図である。
【符号の説明】
【００３５】
１…２連式ボリューム、２、３…ボリューム、４…外軸、５…中軸、６…音量調整つまみ（左）、７…音量調整つまみ（右）、８…パッキン、９…高粘度グリス、１０…筐体、１１…表示パネル、１２…操作ボタン、１３…音量レベル表示用メータ（左）、１４…音量レベル表示用メータ（右）、１５…音量調整つまみ（左）、１６…音量調整つまみ（右）、１７…音量調整つまみ（ヘッドホン用）、２１…マイクロホン（左）、２２…マイクロホン（右）、２３…回動式支持枠、２４…アーム、２５…カード、２７…蓋、２８…スロット、３０…電池蓋、３４…２連式ボリューム、３５、３６…ボリューム、３７…外軸（中空軸）、３８…中軸、４１…インナーリング、４２…クラッチ板、４５…インナーリング、４６…ビス、４７…雌ねじ孔、４８…凹部、４９…段部、５０…圧縮コイルばね、５１…歯、５２…円形孔、５５…３角形の歯
【図１】
2007019321.tif 000003
【図２】
2007019321.tif 000004
【図３】
2007019321.tif 000005
【図４】
2007019321.tif 000006
【図５】
2007019321.tif 000007
【図６】
2007019321.tif 000008
【図７】
2007019321.tif 000009
【図８】
2007019321.tif 000010
【図９】
2007019321.tif 000011
【図１０】
2007019321.tif 000012
【図１１】
2007019321.tif 000013